(57)【要約】【課題】スピーカユニットを小型化してもバスレフポートで重厚な低音を発することが可能であり、意匠性に優れた小型スピーカユニットを提供する。【解決手段】スピーカ５と該スピーカ５を収納するエンクロージャ４と該エンクロージャ４内に設けられ、ポートを備えた音響管とからなるスピーカユニットであって、上記エンクロージャ４は平面視円形ないし楕円形の箱体とされ、上記音響管３はエンクロージャ４の内周面に沿って設けられるとともに、上記音響管３の一端はエンクロージャ４外の空間に開口し低音を発する第１ポート１に連通され、他の端部はエンクロージャ４内に開口する第２ポート２に連通された小型スピーカユニットＡ。【選択図】図１
2007251863.tif 000002
【特許請求の範囲】
【請求項１】
スピーカと該スピーカを収納するエンクロージャと該エンクロージャ内に設けられ、ポートを備えた音響管とからなるスピーカユニットであって、上記エンクロージャは平面視円形ないし楕円形の箱体とされ、上記音響管はエンクロージャの内周面に沿って設けられるとともに、上記音響管の一端はエンクロージャ外の空間に開口し低音を発する第１ポートに連通され、他の端部はエンクロージャ内に開口する第２ポートに連通された小型スピーカユニット。
【請求項２】
上記第２ポートを一対として設けるとともに、それぞれの第２ポートに連通し、エンクロージャの内周面に沿う一対の音響管を合流して外部空間に開口する第１ポートに連通する請求項１に記載の小型スピーカユニット。
【請求項３】
上記一対の第２ポートがその切り口をエンクロージャの円周方向に鋭角に斜めに切断されて開口し、相対向して設けられた請求項１に記載の小型スピーカユニット。
【発明の詳細な説明】
【技術分野】
【０００１】
本発明は、スピーカユニットに関する。さらに詳しくは、低音域の再生に優れた小型スピーカユニットに関する。
【背景技術】
【０００２】
スピーカ、とくに小型のスピーカユニットにおいて、低音域の再生を優れたものとするために、下記特許文献１に記載のように、スピーカを収納するケース（以下エンクロージャという）にケース外の空間に開口する穴（以下ポートという）を設けるバスレフ方式が一般的に知られている。このとき、上記ポートの断面積、長さはヘルムホルツの共鳴式により決定され、ポートの形状が決められる場合が多い。
【０００３】
上記ヘルムホルツの共鳴式によれば、優れた低音特性を得るためにはポートの断面積を極力を大きくして音圧の低下を防ぐことが必要であり、また、ポートの長さはできるだけ長くする方が望ましい。しかしながら、スピーカユニットの大きさや、厚さが限られているため、所望の共振周波数を得て低音域の再生を優れたものとするためには、エンクロジャ内にポートを納めることができないという問題がある。
【特許文献１】特開２００２−１５９０８３号公報（第１〜４頁、第１図）
【発明の開示】
【発明が解決しようとする課題】
【０００４】
本発明はこのような問題を解決して、スピーカユニットを小型化してもバスレフポートで重厚な低音を発することが可能であり、意匠性に優れた小型スピーカユニットを提供することを、その課題とする。
【課題を解決するための手段】
【０００５】
上記課題を解決するために、本発明においては、つぎのような技術的手段を講じている。すなわち、請求項１に記載の発明によれば、スピーカと該スピーカを収納するエンクロージャと該エンクロージャ内に設けられ、ポートを備えた音響管とからなるスピーカユニットであって、上記エンクロージャは平面視円形ないし楕円形の箱体とされ、上記音響管はエンクロージャの内周面に沿って設けられるとともに、上記音響管の一端はエンクロージャ外の空間に開口し低音を発する第１ポートに連通され、他の端部はエンクロージャ内に開口する第２ポートに連通された小型スピーカユニットが提供される。
【０００６】
請求項２に記載の小型スピーカユニットは、請求項１に記載の発明に加えて、上記第２ポートを一対として設けるとともに、それぞれの第２ポートに連通し、エンクロージャの内周面に沿う一対の音響管を合流して外部空間に開口する第１ポートに連通することが好ましい。
【０００７】
請求項３に記載の小型スピーカユニットは、請求項１に記載の発明に加えて、上記一対の第２ポートがその切り口をエンクロージャの円周方向に鋭角に斜めに切断されて開口し、相対向して設けられる。
【発明の効果】
【０００８】
請求項１に記載の発明にかかる小型スピーカユニットは上記のとおりであり、スピーカを収納するエンクロージャが平面視円形ないし楕円形の箱体とされ、上記音響管はエンクロージャの内周面に沿って設けられ、上記音響管はエンクロージャ外の空間に開口し、低音を発する第１ポートとエンクロージャ内に開口する第２ポートとを備え、音響管がエンクロージャの内周面に沿って湾曲しているため、直角に折れ曲がった先行技術の場合に比べて空気抵抗が軽減し、第１ポートから音質の優れた低音をバスレフ方式で発することができる。また、小型で意匠性に優れた小型スピーカユニットとすることができる。
【０００９】
請求項２に記載の小型スピーカユニットは上記のとおりであり、請求項１の小型スピーカユニットの有する効果に加え、上記第２ポートを一対として設けるとともに、それぞれの第２ポートに連通し、エンクロージャの内周面に沿う一対の音響管を合流して第１ポートに流すため、空気の流動容積が増し、良質の低音を第１ポートから発することができる。
【００１０】
請求項３に記載の小型スピーカユニットは上記のとおりであり、請求項１の小型スピーカユニットの有する効果に加え、上記一対の第２ポートがその切り口をエンクロージャの円周方向に鋭角に斜めに切断して開口し、相対向して設けられているため、切り口の開口面積が大となって、空気の流動容積をさらに大きくすることが可能となり、音のビビリ等のない良質のバスレフ低音を発することができる。
【発明を実施するための最良の形態】
【００１１】
以下、本発明の実施形態について図面を参照して詳細に説明する。図１は本発明の第１実施形態にかかる小型スピーカユニットＡを示す一部破断斜視図である。図１に示すように、上記小型スピーカユニットＡにおいて、スピーカ５は平面視円形ないし楕円形の箱体とされたエンクロージャ４に収納され、エンクロージャ４の内周面に沿うスペースには、端部が第１ポート１に連通し、他の端部が第２ポート２に連通する音響管３が内設されている。上記音響管３に連通した第１ポートはエンクロージャ４外の空間に開口してバスレフ方式で低音を発し、第２ポート２は、エンクロージャ４内で開口し音を拾う。図１に示すように、本実施形態においては音響管３がエンクロージャ４の内周面に沿って湾曲しているため、空気抵抗が軽減し、音圧が低下することなく低音を発することができる。
【００１２】
図２は本発明の第２実施形態にかかる小型スピーカユニットＢを示す平面図であり、図３は、その一部破断斜視図である。図２、図３に示されているように、本実施形態においては、第２ポート２ａ、２ｂを一対として形成するとともに、上記各第２ポートに対応して音響管３ａ、３ｂも一対として形成し、エンクロージャ４の内周面に沿って設けられ、第１ポート１の入り口の整流用小空間１１で合流されている。このとき、第２ポート２ａ、２ｂはそれぞれ、エンクロージャ４の内周面に沿って鋭角を形成するように斜めに切断して開口し、相対向して設けられる。このようにすることによって、第２ポート２ａと第２ポート２ｂの開口面積が大きくなり、多量の空気を取り入れて第１ポート１に流動することが可能となり、さらに優れた低音をバスレフ方式で発することができる。
【００１３】
また、図２、図３に示すように、音響管３ａ、３ｂの合流部分に整流用小空間１１を設けて空気の流動を整えた後、第１ポート１から音を発することが好ましい。このようにすることにより、第２実施形態にかかる小型スピーカユニットＢは、音のびびりや割れを防ぎ、低音域特性に優れた低音を発することが可能となる。
【図面の簡単な説明】
【００１４】
【図１】本発明の第１実施形態にかかる小型スピーカユニットを示す部分破断斜視図である。
【図２】本発明の第２実施形態にかかる小型スピーカユニットを示す平面図である。
【図３】本発明の第２実施形態にかかる小型スピーカユニットを示す部分破断斜視図である。
【符号の説明】
【００１５】
Ａ          本発明の第１実施形態にかかる小型スピーカユニット
Ｂ          本発明の第２実施形態にかかる小型スピーカユニット
１          第１ポート
２          第１実施形態における第２ポート
３          第１実施形態における音響管
１１        第２実施形態における整流用小空間
２ａ        第２実施形態における第２ポート
２ｂ        第２実施形態における第２ポート
３ａ        第２実施形態における音響管
３ｂ        第２実施形態における音響管
４          エンクロージャ
５          スピーカ
【図１】
2007251863.tif 000003
【図２】
2007251863.tif 000004
【図３】
2007251863.tif 000005